(57)【特許請求の範囲】
【請求項１】
真皮での指紋と表皮での指紋を同時に収得する指紋リーダを備え、
金銭出納サービスの個人認証のために上記真皮での指紋情報を使用し、同時に上記表皮での指紋情報を収得したとき、予め警察コンピュータから伝送されて記憶された犯罪者に関する上記表皮での指紋情報の中に、上記収得した表皮での指紋情報に一致するものがある場合、所定の通報先に犯罪者を検知したことを所在地情報と合わせて犯罪者検知情報として通報する自動金銭出納機またはキャッシュディスペンサを備えることを特徴とする人体情報捜査システム。
【請求項２】
上記所定の通報先は、上記警察コンピュータまたは上記警察コンピュータに通信ネットワークを介して接続され、捜査員が携帯する機器であることを特徴とする請求項１に記載の人体情報捜査システム。
【発明の詳細な説明】
【技術分野】
【０００１】
この発明は、犯罪者を犯罪者情報を用いて捜査する人体情報捜査システムに関する。
【背景技術】
【０００２】
近年バイオメトリックス情報を用いて個人認証を行うＡＴＭが普及している（例えば、特許文献１参照）。
【０００３】
【特許文献１】特開平１０−２９５６７４号公報
【発明の開示】
【発明が解決しようとする課題】
【０００４】
しかし、個人認証にバイオメトリックス情報を用いるＡＴＭが多数設置されているが、それは金融機関の自動金銭出納サービスだけに利用されており、一方、犯罪者捜査にバイオメトリクスを使われているが、それらの間でバイオメトリックス情報を有効に活用するシステムがないという問題がある。
また、ＡＴＭで使用する例えば真皮での指紋または静脈パターンなどのバイオメトリックス情報と犯罪者捜査で使用する表皮での指紋とが異なっており、ＡＴＭで収得したバイオメトリックス情報を犯罪者捜査に使えないという問題がある。
【０００５】
この発明の目的は、自動金銭出納サービスのためのバイオメトリックス情報を収得するときに犯罪者の捜査に活用できるバイオメトリックス情報を収得する人体情報捜査システムを提供することである。
【課題を解決するための手段】
【０００６】
この発明に係わる人体情報捜査システムは、真皮での指紋と表皮での指紋を同時に収得する指紋リーダを備え、金銭出納サービスの個人認証のために上記真皮での指紋情報を使用し、同時に上記表皮での指紋情報を収得したとき、予め警察コンピュータから伝送されて記憶された犯罪者に関する上記表皮での指紋情報の中に、上記収得した表皮での指紋情報に一致するものがある場合、所定の通報先に犯罪者を検知したことを所在地情報と合わせて犯罪者検知情報として通報する自動金銭出納機またはキャッシュディスペンサを備える。
【発明の効果】
【０００７】
この発明に係わる人体情報捜査システムの効果は、金銭出納サービスの個人認証のために認証が確かな第１の種類のバイオメトリックス情報を収得するとき、同時に犯罪者情報に関する第２のバイオメトリックス情報を収得し、警察コンピュータから伝送された犯罪者情報に基づいて検索し一致するとき通報するので、金銭出納サービスにおいて収得されるバイオメトリックス情報を犯罪者捜査に活用するので、範囲を拡げて犯罪者の捜査が行える。
【発明を実施するための最良の形態】
【０００８】
実施の形態１．
図１は、この発明の実施の形態１に係わる人体情報捜査システムの構成図である。図２は、この発明の実施の形態１に係わるＡＴＭの機能ブロック図である。図３は、この発明の実施の形態１に係わる指紋リーダの概要図である。
この発明の実施の形態１に係わる人体情報捜査システム１は、金融機関が提供し、口座を登録している利用者が利用して入金、出金、振込などの金銭出納サービスを受けるときに操作される自動金銭出納機（以下、「ＡＴＭ」と称す。）２を利用する。なお、金融機関は、日本郵政公社、銀行、銀行代理業などＡＴＭ２を用いて金融サービスを提供する法人であれば限らない。
【０００９】
この実施の形態１に係わる人体情報捜査システム１は、図１に示すように、金融機関の建物などに設置されているＡＴＭ２、ＡＴＭ２とデジタル専用回線３を介して接続され、ＡＴＭ２を遠隔で管理し金銭出納サービスを行う金融機関コンピュータ４および金融機関コンピュータ４とデジタル専用回線５を介して接続され、警察活動に供されている警察コンピュータ６を備える。
【００１０】
ここで指紋について２種類の指紋、真皮指紋と表皮指紋について説明する。真皮指紋は、真皮での凹凸であり、指を透過する光から得られるので、確実な情報として得られる。一方、表皮指紋は、表皮での凹凸の凸部であり、凸部が接した部分を転写などすることにより得られる。犯罪者に関する指紋は、表皮での凹凸の凸部のパターンであり、指を透過して得る真皮での指紋と異なっていることがある。
【００１１】
このＡＴＭ２は、口座を開設している利用者の個人認証するために、利用者にバイオメトリックスとしての指紋の入力を要求する。そして、ＡＴＭ２は、利用者が入力した指紋を読み取って指紋情報を取得し、その指紋情報を金融機関コンピュータ４に伝送して個人認証を行って金銭出納サービスの提供の可否を依頼する。ＡＴＭ２は、金銭出納サービスの提供が許可された利用者に対して所望の金銭出納サービスを提供する。これは通常の金銭出納サービスである。
この通常の金銭出納サービスに用いられる指紋情報は、確実に個人認証を行うために、真皮指紋から得られるものであり、第１の種類のバイオメトリックス情報と称す。
また、このＡＴＭ２は、第１の種類のバイオメトリックス情報の収得のときに、同時に犯罪の捜査の協力のために、第２の種類のバイオメトリックス情報として表皮指紋を収得する。
【００１２】
また、このＡＴＭ２は、人体情報捜査システムを構成し、そのための人体情報捜査機能を有している。この人体情報捜査機能としてのＡＴＭ２は、図２に示すように、個人認証および犯罪者捜査のために使用する２種類の指紋情報を収得する指紋リーダ１１、金融機関コンピュータ４との間で通信を行う伝送インターフェース１２、人体情報捜査機能のために必要なデータが記憶されるＲＡＭ１３、人体情報捜査手順を実行するＣＰＵ１４、人体情報捜査手順を記憶するＲＯＭ１５、内部時計１６を備える。
【００１３】
指紋リーダ１１は、図３に示すように、指３１が載せられるガラス板３２、ガラス板３２の１端面から光を入射する第１の発光器３３、第１の発光器３３から入射され、表皮の凸部が接した部分で反射してきた光を受光する表皮受光器３４、ガラス板３２に載せられた指３１にガラス板３２に向かって光を入射する第２の発光器３５、第２の発光器３５から入射され、指３１とガラス板３２とを透過した光を受光する真皮受光器３６を備える。そして、表皮受光器３４から得られた指紋を表皮指紋、真皮受光器３６から得られた指紋を真皮指紋と称する。
伝送インターフェース１２は、デジタル専用回線３を介して金融機関コンピュータ４から伝送される犯罪者情報を受信し、また、金融機関コンピュータ４に犯罪者検知情報を送信する。
ＲＡＭ１３には、犯罪者情報に含まれる犯罪者の表皮指紋情報から変換された犯罪者指紋特徴点データと、犯罪者情報に含まれる事件番号が記憶される。
【００１４】
ＣＰＵ１４は、犯罪者情報を受信したとき、犯罪者情報に含まれる犯罪者の表皮指紋情報を犯罪者指紋特徴点データに変換し、指紋リーダ１１から収得表皮指紋情報が収得されたとき、収得表皮指紋情報から収得指紋特徴点データに変換する特徴点変換手段２１、犯罪者情報を受信したとき、変換された犯罪者指紋特徴点データと事件番号とをＲＡＭ１３に記憶する犯罪者情報記憶手段２２、指紋リーダ１１から収得表皮指紋情報が収得されたとき、収得指紋特徴点データに一致するＲＡＭ１３に記憶されている犯罪者指紋特徴点データを検索して犯罪者を検知する検知手段２３、検知手段２３で犯罪者が検知されたとき、犯罪者検知情報を金融機関コンピュータ４に伝送する通報手段２４、検知手段２３で犯罪者が検知されないとき、通常の金銭出納処理を行う金銭出納手段２５を有する。なお、金銭出納手段２５は、一般的な金銭出納処理であるので、説明は省略する。
【００１５】
警察コンピュータ６は、犯罪者を探索する指令が入力されたとき、該当する犯罪者の表皮指紋情報と事件番号とからなる犯罪者情報を金融機関コンピュータ４に伝送して捜査への協力を依頼する。また、警察コンピュータ６は、金融機関コンピュータ４から犯罪者検知情報が伝送されてきたとき、犯罪捜査に活用できるように出力する。
【００１６】
金融機関コンピュータ４は、警察コンピュータ６から犯罪者情報が伝送されてきたとき、その犯罪者情報を管理しているＡＴＭ２に転送する。また、金融機関コンピュータ４は、犯罪者検知情報が伝送されてきたとき、この犯罪者検知情報を伝送したＡＴＭ２の所在地情報を付加して、警察コンピュータ６に伝送する。
【００１７】
次に、この発明の実施の形態１に係わる人体情報捜査システム１の動作について図４を参照して説明する。図４は、この発明の実施の形態１に係わる人体情報捜査システムの動作の手順を示すフローチャートである。
【００１８】
ステップＳ１で、警察コンピュータ６は、警察が犯罪者表皮指紋情報を使って犯罪者を捜査する必要があるとき、警察官の操作により登録されている犯罪者表皮指紋情報とその犯罪の事件番号とからなる犯罪者情報を金融機関コンピュータ４に伝送する。
ステップＳ２で、金融機関コンピュータ４は、警察コンピュータ６から犯罪者情報が伝送されてきたとき、金融機関コンピュータ４が管理するすべてのＡＴＭ２に犯罪者情報を転送する。
ステップＳ３で、ＡＴＭ２は、犯罪者情報に含まれる犯罪者表皮指紋情報を犯罪者指紋特徴点データに変換し、この犯罪者指紋特徴点データを事件番号と合わせてＲＡＭ１３に記憶する。
ステップＳ４で、ＡＴＭ２は、指紋表皮情報の収得が有るか否かを判断し、ない場合にはステップＳ４を繰り返し、指紋情報の収得が有る場合にはステップＳ５に進む。
ステップＳ５で、ＡＴＭ２は、収得表皮指紋情報を収得指紋特徴点データに変換し、ＲＡＭ１３に記憶されている犯罪者指紋特徴点データを検索し、収得指紋特徴点データに一致する犯罪者指紋特徴点データが有るか否かを判断し、一致する犯罪者指紋特徴点データが有る場合にはステップＳ６に進み、一致する犯罪者指紋特徴点データがない場合にはステップＳ９に進む。
ステップＳ６で、ＡＴＭ２は、ＡＴＭ２を操作した人は犯罪者であるので、一致した犯罪者指紋特徴点データと一緒に記憶されている事件番号、自身を識別する機器番号、時刻からなる犯罪者検知情報を金融機関コンピュータ４に伝送する。
ステップＳ７で、金融機関コンピュータ４は、犯罪者検知情報の事件番号および時刻にＡＴＭ２が設置されている所在地情報を付加して警察コンピュータ６に転送する。
ステップＳ８で、警察コンピュータ６は、犯罪者検知情報を受けたら出力する。捜査員はこの出力された犯罪者検知情報を犯罪捜査に活用する。
ステップＳ９で、ＡＴＭ２は、通常の金銭出納サービスを行い、終了する。
【００１９】
このような人体情報捜査システム１は、金銭出納サービスの個人認証のために認証が確かな第１の種類のバイオメトリックス情報を収得するとき、同時に犯罪者情報に関する第２のバイオメトリックス情報を収得し、警察コンピュータから伝送された犯罪者情報に基づいて検索し一致するとき通報するので、金銭出納サービスにおいて収得されるバイオメトリックス情報を犯罪者捜査に活用するので、範囲を拡げて犯罪者の捜査が行える。
なお、実施の形態１において、犯罪者情報としての第２の種類のバイオメトリックス情報を表皮指紋を例にあげて説明したが、他のバイオメトリックス情報、例えば網膜、虹彩、静脈パターン、声紋が犯罪者情報として使用されるときには、この発明に適用することができる。
また、ＡＴＭ２以外に支払いのときにバイオメトリックス情報を個人認証に用いたキャッシュディスペンサを用いることもできる。
また、表皮指紋情報を指紋特徴点データに変換して検知に用いているが、指紋パターンを用いても同様に検知できる。
【００２０】
実施の形態２．
図５は、この発明の実施の形態２に係わる人体情報捜査システムの構成図である。
この発明の実施の形態２に係わる人体情報捜査システム１Ｂは、実施の形態１に係わる人体情報捜査システム１に警察コンピュータ６に無線回線７を介して接続される捜査員が携帯する携帯機器８が追加されたことが異なっており、それ以外は同様であるので、同様な部分に同じ符号を付記して説明は省略する。
捜査員が携帯する携帯機器８、例えば携帯電話、トランシーバ、無線ＬＡＮにつながるパソコンなどは、警察コンピュータ６に接続される。そして、警察コンピュータ６は、金融機関コンピュータ４から犯罪者検知情報が伝送されてきたとき、その犯罪者検知情報を携帯機器８に転送し、捜査員が捜査現場でその犯罪者検知情報を捜査に活用する。
【００２１】
このように犯罪者検知情報が捜査員が携帯する携帯機器８に転送されるので、タイムリーに犯罪者検知情報が活用され、検挙率の向上に寄与する。
【００２２】
実施の形態３．
図６は、この発明の実施の形態３に係わるＡＴＭの機能ブロック図である。
この発明の実施の形態３に係わる人体情報捜査システムは、実施の形態１に係わる人体情報捜査システム１とＡＴＭ２Ｂが異なっており、それ以外は同様であるので、同様な部分に同じ符号を付記して説明は省略する。
この実施の形態３に係わるＡＴＭ２Ｂは、実施の形態１に係わるＡＴＭ２とＣＰＵ１４Ｂが異なり、それ以外は同様であるので、同様な部分に同じ符号を付記して説明は省略する。
この実施の形態３に係わるＣＰＵ１４Ｂは、実施の形態１に係わるＣＰＵ１４と検知手段２３Ｂが異なり、それ以外は同様であるので、同様な部分に同じ符号を付記して説明は省略する。
【００２３】
また、検知手段２３Ｂは、完全に収得されたときの指紋を１００％として記憶された犯罪者特徴点データが占める面積の割合を求め、収得特徴点データからその割合の特徴点データを作成し、作成した特徴点データに一致する犯罪者特徴点データを検索して犯罪者を検知する。
例えば、図７（ｂ）に示すように表皮指紋が完全に収得されたときに対して犯罪者情報に含まれる表皮指紋情報が図７（ａ）に示すように一部欠損しているとき、図８に示すように犯罪者情報に含まれる表皮指紋情報の面積を求め、完全に収得されたときの表皮指紋に対する割合を求める。
それから、収得した表皮指紋情報から得られた特徴点データから求めた割合の特徴点データを作成し、それを用いて犯罪者を検知する。
【００２４】
このように犯罪者情報に含まれる表皮指紋情報が完全に収得したときの表皮指紋情報の一部であっても、指紋リーダにより収得した表皮指紋情報から該当する割合のデータを作成して犯罪者を検知できるので、犯罪者情報によらずに犯罪者を検知できる。
【図面の簡単な説明】
【００２５】
【図１】この発明の実施の形態１に係わる人体情報捜査システムの構成図である。
【図２】この発明の実施の形態１に係わるＡＴＭの機能ブロック図である。
【図３】この発明の実施の形態１に係わる指紋リーダの概要図である。
【図４】この発明の実施の形態１に係わる人体情報捜査システムの動作の手順を示すフローチャートである。
【図５】この発明の実施の形態２に係わる人体情報捜査システムの構成図である。
【図６】この発明の実施の形態３に係わるＡＴＭの機能ブロック図である。
【図７】一部が欠損している表皮指紋を示す図である。
【図８】一部が欠損している表皮指紋の割合を求める手順を説明するための図である。
【符号の説明】
【００２６】
１、１Ｂ  人体情報捜査システム、２  ＡＴＭ、３、５  デジタル専用回線、４  金融機関コンピュータ、６  警察コンピュータ、７  無線回線、８  携帯機器、１１  指紋リーダ、１２  伝送インターフェース、１３  ＲＡＭ、１４  ＣＰＵ、１５  ＲＯＭ、１６  内部時計、２１  特徴点変換手段、２２  犯罪者情報記憶手段、２３、２３Ｂ  検知手段、２４  通報手段、２５  金銭出納手段、３１  指、３２  ガラス板、３３、３５  発光器、３４  表皮受光器、３６  真皮受光器。
【図１】
0004723412.tif 000002
【図２】
0004723412.tif 000003
【図３】
0004723412.tif 000004
【図４】
0004723412.tif 000005
【図５】
0004723412.tif 000006
【図６】
0004723412.tif 000007
【図７】
0004723412.tif 000008
【図８】
0004723412.tif 000009